(57)【要約】【課題】手間をかけることなく、表示する画像の色を補正することが可能な画像表示装置を提供する。【解決手段】画像を表示する表示面が設けられた表示部と、表示面と同一面に設けられ、照射される光のデータである表示面光データを取得する表示面光データ取得部とを備え、取得された表示面光データと、表示面の光の反射特性とに基づいて、表示面の反射光のデータを算出し、反射光のデータに基づいて、表示部が表示面に表示する画像の色を補正する。【選択図】図６
2009053324.tif 000002
【特許請求の範囲】
【請求項１】
画像を表示する表示面が設けられた表示部と、
前記表示面と同一面に設けられ、照射される光のデータである表示面光データを取得する表示面光データ取得部と、
取得された前記表示面光データと、前記表示面の光の反射特性とに基づいて、前記表示面の反射光のデータを算出する算出手段と、
算出された前記反射光のデータに基づいて、前記表示部が前記表示面に表示する画像の色を補正する画像補正手段とを備える、画像表示装置。
【請求項２】
前記表示面光データ取得部は、時間経過に伴って、前記表示面光データを順次取得し、
前記算出手段は、取得された最新の表示面光データと、前記表示面の光の反射特性とに基づいて、前記表示面の反射光のデータを算出し、
前記画像補正手段は、算出された最新の反射光のデータに基づいて、前記表示部が前記表示面に表示する画像の色を補正する、請求項１に記載の画像表示装置。
【請求項３】
前記表示面と、前記表示面光データ取得部とが設けられる面は、平面である、請求項１または２に記載の画像表示装置。
【請求項４】
前記表示面光データは、複数の画素データを含み、
前記複数の画素データの各々は、赤、緑および青成分の輝度値を示し、
前記表示面の光の反射特性は、前記表示面の赤成分の光の反射率と、前記表示面の緑成分の光の反射率と、前記表示面の青成分の光の反射率とを示し、
前記算出手段により算出される前記反射光のデータは、前記複数の画素データにそれぞれ対応する複数の赤成分の輝度値の平均値に前記赤成分の光の反射率を乗算した値と、前記複数の画素データにそれぞれ対応する複数の緑成分の輝度値の平均値に前記緑成分の光の反射率を乗算した値と、前記複数の画素データにそれぞれ対応する複数の青成分の輝度値の平均値に前記青成分の光の反射率を乗算した値とを示すデータである、請求項１〜３のいずれかに記載の画像表示装置。
【発明の詳細な説明】
【技術分野】
【０００１】
本発明は、画像表示装置に関し、特に、画像の補正処理を行なう画像表示装置に関する。
【背景技術】
【０００２】
画像を表示する表示面が設けられた画像表示装置では、表示面に光が照射されると、反射光が生じ、表示面に表示された画像の色が正確に表現できなくなる。
【０００３】
特開平９−１９７９９９号公報（特許文献１）には、反射光を考慮して、表示する画像を補正する（以下、第１の先行技術ともいう）技術が開示されている。
【特許文献１】特開平９−１９７９９９号公報
【発明の開示】
【発明が解決しようとする課題】
【０００４】
しかしながら、第１の先行技術では、利用者（ユーザ）が、画像表示装置に表示されている画像を見にくいと感じたときに、補正要求スイッチをオンにすると、画像の補正処理が行なわれるというものである。すなわち、第１の先行技術では、画像の補正処理を行なうには、補正要求スイッチをオンにするという手間を、ユーザにかけてしまうという問題点がある。
【０００５】
本発明は、上述の問題点を解決するためになされたものであって、その目的は、手間をかけることなく、表示する画像の色を補正することが可能な画像表示装置を提供することである。
【課題を解決するための手段】
【０００６】
上述の課題を解決するために、この発明のある局面に従う画像表示装置は、画像を表示する表示面が設けられた表示部と、表示面と同一面に設けられ、照射される光のデータである表示面光データを取得する表示面光データ取得部と、取得された表示面光データと、表示面の光の反射特性とに基づいて、表示面の反射光のデータを算出する算出手段と、算出された反射光のデータに基づいて、表示部が表示面に表示する画像の色を補正する画像補正手段とを備える。
【０００７】
好ましくは、表示面光データ取得部は、時間経過に伴って、表示面光データを順次取得し、算出手段は、取得された最新の表示面光データと、表示面の光の反射特性とに基づいて、表示面の反射光のデータを算出し、画像補正手段は、算出された最新の反射光のデータに基づいて、表示部が表示面に表示する画像の色を補正する。
【０００８】
好ましくは、表示面と、表示面光データ取得部とが設けられる面は、平面である。
好ましくは、表示面光データは、複数の画素データを含み、複数の画素データの各々は、赤、緑および青成分の輝度値を示し、表示面の光の反射特性は、表示面の赤成分の光の反射率と、表示面の緑成分の光の反射率と、表示面の青成分の光の反射率とを示し、算出手段により算出される反射光のデータは、複数の画素データにそれぞれ対応する複数の赤成分の輝度値の平均値に赤成分の光の反射率を乗算した値と、複数の画素データにそれぞれ対応する複数の緑成分の輝度値の平均値に緑成分の光の反射率を乗算した値と、複数の画素データにそれぞれ対応する複数の青成分の輝度値の平均値に青成分の光の反射率を乗算した値とを示すデータである。
【発明の効果】
【０００９】
本発明に係る画像表示装置は、画像を表示する表示面が設けられた表示部と、表示面と同一面に設けられ、照射される光のデータである表示面光データを取得する表示面光データ取得部とを備え、取得された表示面光データと、表示面の光の反射特性とに基づいて、表示面の反射光のデータを算出し、反射光のデータに基づいて、表示部が表示面に表示する画像の色を補正する。
【００１０】
したがって、手間をかけることなく、表示する画像の色を補正することができるという効果を奏する。
【発明を実施するための最良の形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
本発明における画像表示装置は、一例として、携帯電話であるとする。なお、画像表示装置は、携帯電話に限定されることなく、画像を表示するための装置であれば、どのような装置であってもよい。画像表示装置は、たとえば、ＰＤＡ（Personal Digital Assistance）、液晶テレビ、パソコン用ディスプレイ等であってもよい。
【００１３】
＜第１の実施の形態＞
まず、本実施の形態における画像表示装置５００について説明する。
【００１４】
（画像表示装置の外観）
図１は、本実施の形態における画像表示装置５００の外観を正面から示した図である。図１を参照して、画像表示装置５００は、表示部５３０と、音声出力部５７０と、撮像部５７８とを備える。
【００１５】
表示部５３０は、文字や画像等を表示する機能を有する。表示部５３０には、文字や画像等を表示する表示面が設けられる。表示部５３０は、ＬＣＤパネル（Liquid Crystal Display Panel）を使用した装置である。なお、表示部５３０は、上記以外の表示方式のパネルを使用した装置であってもよい。
【００１６】
表示部５３０の表示面の解像度は、横４８０（ドット）×縦８００（ドット）である。なお、表示部５３０の表示面の解像度は、横４８０（ドット）×縦８００（ドット）に限定されることなく、他の解像度であってもよい。
【００１７】
また、表示部５３０は、ユーザが、表示面に直接触れることで、情報入力可能なタッチパネル機能を有する。表示部５３０は、ユーザが表示面にタッチした位置情報を、後述する制御部５１０へ送信する。制御部５１０は、受信した位置情報に基づいて、所定の処理を行なう。
【００１８】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００１９】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００２０】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００２１】
撮像処理では以下の処理が行なわれる。まず、撮像部５７８が、撮像対象となる被写体に反射されて撮像レンズに入射した光、または、光源（たとえば、照明）からの光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００２２】
また、撮像部５７８は、表示部５３０の表示面と同一平面に設けられる。具体的には、撮像部５７８の撮像レンズは、表示部５３０の表示面と同一平面に設けられる。また、撮像部５７８の撮像レンズは、当該撮像レンズに、表示部５３０の表示面に照射される光の特性と同等（または、同一）の特性の光が入射されるように、表示部５３０の表示面の近傍に設けられる。すなわち、撮像部５７８は、表示部５３０の表示面に照射される光の特性と同等（または、同一）の特性の光のデータを取得できるように構成される。
【００２３】
画像表示装置５００は、さらに、入力部５４０を備える。
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。
【００２４】
具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる長時間（たとえば、一秒以上）の押下操作（以下、長押操作ともいう）により、たとえば画面をそれぞれ、上，下，左，右に画面スクロールすることも可能である。
【００２５】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００２６】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００２７】
機能ボタン５４３Ａは、電話をかけるためのボタンである。たとえば、機能ボタン５４３Ａは、後述する数字ボタン群５４６の短押操作により電話番号を入力した後に、短押操作されることで、入力した電話番号の端末装置に電話をかける処理が行なわれる。また、機能ボタン５４３Ａは、画像表示装置５００に電話がかかってきた場合、短押操作により通話開始を行なうためのボタンである。機能ボタン５４３Ｂは、画像表示装置５００が通話中である場合、短押操作により通話を終了させるためのボタンである。また、機能ボタン５４３Ｂは、ユーザによる長時間（たとえば、１秒以上）の押下操作（以下、長押操作ともいう）により、画像表示装置５００の電源のオンとオフとの切替えを行なうためのボタンである。
【００２８】
入力部５４０は、さらに、数字ボタン群５４６を含む。数字ボタン群５４６は、１２個の数字ボタンを含む。なお、数字ボタン群５４６に含まれる数字ボタンの数は、１２個に限定されない。１２個の数字ボタンの各々は、短押操作により、数字、文字または記号等を入力するためのボタンである。
【００２９】
入力部５４０は、入力部５４０に含まれる複数のボタンのうち、短押操作または長押操作されたボタンに対応するボタン信号を、後述する制御部５１０へ送信する。すなわち、入力部５４０は、ユーザが画像表示装置５００を操作するためのインターフェースである。以下においては、ユーザによる、入力部５４０の操作または表示部５３０に対するタッチ操作を、インターフェース操作Ｍともいう。
【００３０】
画像表示装置５００は、さらに、音声入力部５７４と、記録媒体挿入部５５０Ａとを備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、画像表示装置５００内の後述する制御部５１０へ送信する。記録媒体挿入部５５０Ａは、画像表示装置５００に後述する記録媒体を挿入する部分である。
【００３１】
（画像表示装置の内部構成）
図２は、画像表示装置５００の内部構成を示したブロック図である。なお、図２には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００３２】
図２を参照して、画像表示装置５００は、さらに、制御部５１０と、一時記憶部５２２と、記憶部５２０とを備える。
【００３３】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、その他の各種データ等が記憶されている。
【００３４】
制御部５１０は、記憶部５２０に記憶されたプログラム１８０に従って、画像表示装置５００内の各部に対する各種処理や、演算処理等を行なう機能を有する。制御部５１０は、ＣＰＵ（Central Processing Unit）である。なお、制御部５１０は、ＣＰＵに限定されることなく、演算機能を有するその他の回路であってもよい。
【００３５】
一時記憶部５２２は、制御部５１０によってデータアクセスされ、一時的にデータを記憶するワークメモリとして使用される。一時記憶部５２２は、ＤＲＡＭ（Dynamic Random Access Memory）である。なお、一時記憶部５２２は、ＤＲＡＭに限定されることなく、データを揮発的に記憶可能なその他の回路であってもよい。
【００３６】
画像表示装置５００は、さらに、ＶＤＰ５３２と、ＶＲＡＭ（Video Random Access Memory）５３６とを備える。
【００３７】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００３８】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００３９】
画像表示装置５００は、さらに、入力部５４０と、記録媒体アクセス部５５０を備える。
【００４０】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００４１】
記録媒体アクセス部５５０は、記録媒体５５５が前述の記録媒体挿入部５５０Ａから画像表示装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００４２】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００４３】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。
【００４４】
記録媒体５５５は、ＳＤ（Secure Digital（登録商標））メモリーカードである。なお、記録媒体５５５は、ＳＤメモリーカード（登録商標）に限定されることなく、データを不揮発的に記録可能なその他の媒体であってもよい。
【００４５】
画像表示装置５００は、さらに、通信部５６０と、通信部５６２とを備える。
通信部５６０は、制御部５１０とデータの送受信を行なう。また、通信部５６０は、外部の装置と有線または無線で、データの送受信を行なう機能を有する。
【００４６】
通信部５６０は、ＵＳＢ（登録商標）（Universal Serial Bus）２．０の規格に基づく、シリアル転送を行なう通信用インターフェースの機能を有する。なお、シリアル転送を行なう通信用インターフェースの規格は、ＵＳＢ２．０に限定されることなく他の規格であってもよい。
【００４７】
なお、通信部５６０は、パラレル転送を行なう通信用インターフェースの機能を有していてもよい。パラレル転送を行なう通信用インターフェースは、たとえば、セントロニクス準拠の規格に準拠したインターフェースである。また、通信部５６０は、ＩＥＥＥ１３９４またはＳＣＳＩ規格に基づく通信用インターフェースの機能を有していてもよい。
【００４８】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、外部の装置と無線でデータ通信を行なう。
【００４９】
通信部５６２は、制御部５１０と、データの送受信を行なう。通信部５６２は、有線技術を利用して、ネットワーク７０とデータ通信を行なう機能を有する。ネットワーク７０は、インターネットなどの広域なネットワークである。有線技術は、たとえば、イーサネット（登録商標）に基づく技術である。この場合、通信部５６２は、たとえば、ＬＡＮケーブルを介して、ネットワーク７０とデータ通信を行なうことができる。なお、有線技術は、イーサネット（登録商標）に基づく技術に限定されることなく、その他の有線技術であってもよい。
【００５０】
また、通信部５６２は、無線技術を利用して、ネットワーク７０とデータ通信を行なう機能を有する。無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。したがって、通信部５６２は、無線により、ネットワーク７０とデータ通信を行なうことができる。
【００５１】
画像表示装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００５２】
通信部５６６は、アンテナ５６４を利用して、無線通信信号により、図示しない最寄の基地局と通信を行なう。最寄の基地局は、電話網と通信を行なうことができる。したがって、通信部５６６は、アンテナ５６４を利用して、無線通信信号により、最寄の基地局を介して、電話網と通信を行なう。
【００５３】
通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網へ送信する。
【００５４】
画像表示装置５００は、制御部５１０および通信部５６６の処理により、電話網を介して、ネットワーク７０からプログラムのダウンロード処理を行ない、記憶部５２０に格納することもできる。この場合、当該ダウンロードしたプログラムは、プログラム１８０である。
【００５５】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００５６】
画像表示装置５００は、さらに、音声出力部５７２を備える。音声出力部５７２は、画像表示装置５００の外部に設けられる。音声出力部５７２は、制御部５１０で行なわれる処理に対応した音声を出力する機能を有する。音声出力部５７２には、音声を出力するスピーカが含まれる。音声出力部５７２は、制御部５１０から受信した音声データに基づく音声をスピーカから出力する。
【００５７】
制御部５１０は、前述した音声出力部５７０，音声入力部５７４とデータ通信する。
制御部５１０が、音声データを音声出力部５７０へ送信すると、音声出力部５７０は、制御部５１０から受信した音声データに基づく音声をスピーカから出力する。
【００５８】
ユーザが音声入力部５７４に含まれるマイクに対して音声を発すると、音声入力部５７４は、マイクにより取得した音声を音声データに変換して、音声データを、制御部５１０へ送信する。
【００５９】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【００６０】
（本発明の概念図）
図３は、本発明の概念を説明するための図である。図３を参照して、表示部５３０の表示面に表示される画像の光（以下、画像光ＧＬともいう）は、ユーザの目Ｅ１０に到達するとする。また、光源ＳＬから照射される光ＩＬは、表示部５３０の表示面で反射されて、反射光ＲＬとして、ユーザの目Ｅ１０に到達するとする。すなわち、ユーザの目Ｅ１０に、画像光ＧＬおよび反射光ＲＬが到達した状態で、ユーザは、表示部５３０の表示面に表示される画像を、識別することになる。
【００６１】
ここで、光ＩＬが、たとえば、赤色の光であるとする。この場合、反射光ＲＬも、赤色の光となり、ユーザは、表示部５３０の表示面に表示される画像の本来の色を正確に識別することができなくなる。そこで、本発明では、反射光ＲＬを考慮して、表示部５３０の表示面に表示される画像の色を補正することにより、ユーザが、光源からの光の状態に関わらず、画像の本来の色を正確に識別することができるようにする。
【００６２】
なお、前述したように、撮像部５７８の撮像レンズは、表示部５３０の表示面と同一平面に設けられる。また、撮像部５７８の撮像レンズは、当該撮像レンズに、表示部５３０の表示面に照射される光の特性と同等（または、同一）の特性の光が入射されるように、表示部５３０の表示面の近傍に設けられる。すなわち、撮像部５７８は、表示部５３０の表示面に照射される光の特性と同等（または、同一）の特性の光のデータを取得できるように構成される。
【００６３】
（色の補正）
次に、光源からの光の反射光を考慮して、色を補正するための処理（以下、色補正処理ともいう）について説明する。
【００６４】
ここで、本発明では、色を、８ビットのＲＧＢ値で表現するとする。この場合、Ｒ，Ｇ，Ｂの各値は、０〜２５５で表現されるとする。なお、色の表現は、８ビットのＲＧＢ値に限定されることなく、たとえば、９ビット以上のＲＧＢ値であってもよい。また、色は、ＲＧＢ値に限定されることなく、他の値（たとえば、ＣＭＹＫ値、ある波長の光の強さの値）で表現されてもよい。
【００６５】
本発明では、人間が一般的に認識可能といわれる、波長が３８０〜７８０ナノメートルの光を、一例として、３種類の光に分類する。当該３種類の光は、一例として、波長３８０〜５００ナノメートルの光、波長５０１〜５８０ナノメートルの光、および、波長５８１〜７８０ナノメートルの光であるとする。なお、光の分類は、上記波長に限定されることはない。また、光の分類の数は、４つ以上であってもよい。
【００６６】
以下においては、波長３８０〜５００ナノメートルの光を、青（Ｂ）光ともいう。また、波長５０１〜５８０ナノメートルの光を、緑（Ｇ）光ともいう。また、波長５８１〜７８０ナノメートルの光を、赤（Ｒ）光ともいう。青光、緑光および赤光は、それぞれ、青成分、緑成分および赤成分の光である。
【００６７】
ここで、事前に、分光放射輝度を測定するための光測定装置を利用して、表示部５３０の表示面の光の反射率を測定するとする。分光放射輝度は、光の波長毎の輝度（強度）である。以下においては、表示部５３０の表示面の光の反射率を、表示面光反射率ともいう。ここで、光測定装置は、図３の反射光ＲＬを測定可能なように、図３に示されるユーザの目Ｅ１０の位置に配置されるとする。
【００６８】
まず、図３に示すように、光源ＳＬから光ＩＬを、表示部５３０の表示面に照射して、当該照射による、表示部５３０の表示面の反射光ＲＬの分光放射輝度を光測定装置により測定するとする。ここで、表示面光反射率を算出するための測定を行なう場合、光ＩＬは、前述した青成分、緑成分および赤成分の光をそれぞれ同じ割合（たとえば、３３．３３％）で含む、白色の光であるとする。
【００６９】
光測定装置による、反射光ＲＬの分光放射輝度の測定では、波長３８０〜７８０ナノメートルの光において、３８０〜７８０ナノメートル間の１ナノメートル毎の光の輝度（強度）を測定するとする。すなわち、光測定装置は、波長３８０，３８１，３８２，・・・，７８０ナノメートルの光の各々の輝度を測定するとする。これにより、青光、緑光および赤光の各々の表示面光反射率を算出する。以下においては、青光、緑光および赤光の各々の表示面光反射率を、それぞれ、表示面青光反射率、表示面緑光反射率および表示面赤光反射率ともいう。すなわち、表示部５３０の表示面の光の反射特性は、表示面青光反射率、表示面緑光反射率および表示面赤光反射率を示す。
【００７０】
たとえば、表示面青光反射率は、以下のようにして算出される。まず、波長３８０〜５００ナノメートル間の１ナノメートル毎の反射光ＲＬの輝度を光測定装置により測定する。すなわち、波長３８０，３８１，３８２，・・・，５００ナノメートルの反射光ＲＬの各々の輝度を光測定装置により測定する。そして、波長３８０，３８１，３８２，・・・，５００ナノメートルの反射光ＲＬの各々の輝度と、波長３８０，３８１，３８２，・・・，５００ナノメートルの光ＩＬの輝度とにより、波長３８０，３８１，３８２，・・・，５００ナノメートルの光ＩＬの各々の反射率を算出する。
【００７１】
たとえば、波長３８０ナノメートルの光ＩＬの反射率は、（波長３８０ナノメートルの反射光ＲＬの輝度）／（波長３８０ナノメートルの光ＩＬの輝度）の計算式により算出される。なお、光ＩＬの反射率の算出方法は、上記計算式に限定されることはない。
【００７２】
そして、波長３８０，３８１，３８２，・・・，５００ナノメートルの光ＩＬにそれぞれ対応する、算出された複数の反射率の平均値を、表示面青光反射率とする。ここで、表示面青光反射率は、一例として、８％であるとする。表示面緑光反射率および表示面赤光反射率も、前述した表示面青光反射率の算出方法と同様にして算出する。以上により、画像表示装置５００の記憶部５２０には、後述する色補正処理が行なわれる前に、予め、以下の反射率データテーブルＣＤ１００を記憶させておくとする。
【００７３】
図４は、一例としての反射率データテーブルＣＤ１００を示す図である。図４を参照して、「光」とは、前述した青光、緑光および赤光を示す。「反射率」とは、対応する光の表示面光反射率を示す。たとえば、反射率データテーブルＣＤ１００では、青光の表示面光反射率（表示面青光反射率）は、８％であることを示す。たとえば、反射率データテーブルＣＤ１００では、赤光の表示面光反射率（表示面赤光反射率）は、４％であることを示す。
【００７４】
ここで、制御部５１０は、後述する色補正処理とは、独立して、以下の表示面光データ取得処理を行なうとする。また、制御部５１０は、表示面光データ取得処理の開始と同時に経過時間測定処理を行なう。経過時間測定処理は、他の処理（たとえば、表示面光データ取得処理）とは独立して行なわれる処理である。経過時間測定処理は、表示面光データ取得処理が開始されてからの経過時間を測定する。
【００７５】
図５は、表示面光データ取得処理のフローチャートである。図５を参照して、表示面光データ取得処理では、まず、ステップＳ１１１の処理が行なわれる。
【００７６】
ステップＳ１１１では、所定時間が経過したか否かが判定される。具体的には、制御部５１０が、経過時間測定処理により測定されている経過時間が所定時間になったか否かを判定する。ここで、所定時間は、一例として、５秒であるとする。ステップＳ１１１において、ＹＥＳならば、制御部５１０が、経過時間測定処理により測定されている経過時間を“０”にして、ステップＳ１１２に進む。一方、ステップＳ１１１において、ＮＯならば、再度、ステップＳ１１１の処理が行なわれる。ここでは、経過時間測定処理により測定されている経過時間が所定時間になったとして、制御部５１０が、経過時間測定処理により測定されている経過時間を“０”にして、ステップＳ１１２に進む。この場合、経過時間測定処理は、ステップＳ１１１でＹＥＳと判定されてからの経過時間を測定することになる。
【００７７】
ステップＳ１１２では、光データ取得撮像処理が行なわれる。光データ取得撮像処理では、制御部５１０が、被写体へのピントが全く合わない状態（焦点距離が、たとえば、０．１センチメートルの状態）で撮像をするための撮像指示（以下、ピント不一致撮像指示ともいう）を、撮像部５７８へ送信する。ここで、撮像部５７８は、一例として、１２万画素の画像を撮像する機能を有するとする。１２万画素の画像は、一例として、横４００（ドット）×縦３００（ドット）の画像である。
【００７８】
撮像部５７８は、ピント不一致撮像指示を受信すると、被写体へのピントが全く合わない状態で、前述の撮像処理を行ない、撮像画像データを取得し、当該撮像画像データを制御部５１０へ送信する。以下においては、光データ取得撮像処理により、撮像部５７８が、制御部５１０へ送信する撮像画像データを、光撮像画像データともいう。
【００７９】
制御部５１０は、光撮像画像データを受信すると、光撮像画像データを、記憶部５２０に記憶させる。なお、既に記憶部５２０に光撮像画像データが記憶されている場合、制御部５１０は、受信した最新の光撮像画像データを、記憶部５２０に上書き記憶させる。
【００８０】
ここで、記憶部５２０に記憶される光撮像画像データは、横４００（ドット）×縦３００（ドット）の画像のデータである。この場合、光撮像画像データは、１２万個の画素データを含む。１２万個の画素データの各々は、８ビットで表現されるＲＧＢ値を示す。すなわち、１２万個の画素データの各々の示すＲ，Ｇ，Ｂの各値は、０〜２５５で表現されるとする。以下においては、Ｒ値がｐ、Ｇ値がｑ、Ｂ値がｒの場合、Ｒ，Ｇ，Ｂの値を、ＲＧＢ（ｐ、ｑ、ｒ）と表すとする。たとえば、Ｒ値が２５５、Ｇ値が３０、Ｂ値が１０の場合、画素データが示すＲ，Ｇ，Ｂの値は、ＲＧＢ（２５５、３０、１０）と表される。
【００８１】
ここで、光データ取得撮像処理が行なわれる際、図３に示すように、光源ＳＬから照射される光ＩＬが、表示部５３０の表示面に照射されるとする。前述したように、撮像部５７８の撮像レンズは、表示部５３０の表示面と同一平面に設けられる。また、撮像部５７８の撮像レンズは、当該撮像レンズに、表示部５３０の表示面に照射される光の特性と同等（または、同一）の特性の光が入射されるように、表示部５３０の表示面の近傍に設けられる。
【００８２】
したがって、この場合、光データ取得撮像処理により、記憶部５２０に記憶される光撮像画像データは、表示部５３０の表示面に照射される光ＩＬの特性と同等（または、同一）の特性の光を示すデータとなる。以下においては、光データ取得撮像処理により取得される光撮像画像データを、表示面光データともいう。そして、再度、ステップＳ１１１の処理が行なわれる。
【００８３】
以上の表示面光データ取得処理により、所定時間（たとえば、５秒）毎に、表示部５３０の表示面に照射される光の特性と同等（または、同一）の特性の光を示す、表示面光データとしての光撮像画像データが、記憶部５２０に記憶される。
【００８４】
図６は、色補正処理のフローチャートである。図６を参照して、色補正処理では、まず、ステップＳ２１１の処理が行なわれる。
【００８５】
ステップＳ２１１では、画像データ取得処理が行なわれる。画像データ取得処理では、制御部５１０が、表示部５３０の表示面に表示させるための画像（以下、表示用画像ともいう）のデータを取得する。表示用画像は、静止画像であるとする。ここで、表示用画像のデータは、記憶部５２０に記憶されているとする。具体的には、制御部５１０が、表示用画像のデータを、記憶部５２０から読み出す。なお、表示用画像のデータは、複数の画素データを含む。複数の画素データの各々は、８ビットで表現されるＲＧＢ値を示す。すなわち、複数の画素データの各々の示すＲ，Ｇ，Ｂの各値は、０〜２５５で表現されるとする。
【００８６】
なお、表示用画像のデータは、動画像のデータから取得してもよい。この場合、複数の表示用画像から構成される動画像のデータが、記憶部５２０に記憶されているとする。また、記憶部５２０に記憶されている動画像のデータは、圧縮されたデータであるとする。この場合、制御部５１０は、当該動画像のデータを復号化し、ｎ番目のフレーム（表示用画像）を取得する。ｎの初期値は、１であるとする。なお、ステップＳ２１１の処理が行なわれる毎に、ｎを１インクリメントした後のｎ番目のフレーム（表示用画像）が取得される。
【００８７】
また、表示用画像のデータは、画像表示装置５００に接続された、図示しない画像出力装置（たとえば、チューナ）から取得してもよい。そして、ステップＳ２１２に進む。
【００８８】
ステップＳ２１２では、光データ取得処理が行なわれる。光データ取得処理では、制御部５１０が、図５の表示面光データ取得処理により、現時点で記憶部５２０に記憶されている、最新の表示面光データとしての光撮像画像データを読み出すことにより、光撮像画像データを取得する。そして、ステップＳ２１３に進む。
【００８９】
ステップＳ２１３では、光平均輝度算出処理が行なわれる。光平均輝度算出処理では、表示面光データとしての光撮像画像データに基づく画像に含まれる複数の画素データの各々が示すＲ値、Ｇ値およびＢ値の値の平均が算出される。具体的には、制御部５１０が、まず、取得した光撮像画像データに基づく画像に含まれる複数の画素データがそれぞれ示す、赤成分としての複数のＲ値（輝度値）の平均値を算出する。Ｒ値の平均値の算出方法は、光撮像画像データに基づく画像に含まれる複数（たとえば、１２万個）の画素データがそれぞれ示す複数のＲ値の合計値を、光撮像画像データに基づく画像に含まれる画素データの数（たとえば、１２万）で除算した値となる。
【００９０】
制御部５１０は、上記のＲ値の平均値の算出方法と同様に、緑成分としてのＧ値（輝度値）の平均値、青成分としてのＢ値（輝度値）の平均値を算出する。以下においては、光平均輝度算出処理により算出されたＲ，Ｇ，Ｂの値の平均値を示すデータを、光ＲＧＢ平均データともいう。ここで、算出されたＲ値の平均値は、一例として、２５０であるとする。また、算出されたＧ値の平均値は、一例として、１０であるとする。また、算出されたＢ値の平均値は、一例として、２０であるとする。この場合、算出された光ＲＧＢ平均データが示すＲ，Ｇ，Ｂの値は、ＲＧＢ（２５０、１０、２０）と表される。この場合、光ＲＧＢ平均データを算出するのに使用された光撮像画像データに対応する光は、赤成分が強い光となる。すなわち、当該光ＲＧＢ平均データに対応する光は、赤成分が強い光となる。
【００９１】
なお、光ＲＧＢ平均データが示すＲ，Ｇ，Ｂの値は、表示面光データとしての光撮像画像データの赤成分の輝度値（Ｒ値）の平均値、表示面光データとしての光撮像画像データの緑成分の輝度値（Ｇ値）の平均値、表示面光データとしての光撮像画像データの青成分の輝度値（Ｂ値）の平均値を示す。そして、ステップＳ２１４に進む。
【００９２】
ステップＳ２１４では、反射光データ算出処理が行なわれる。反射光データ算出処理では、表示部５３０の表示面に照射された光の反射光（たとえば、図３の反射光ＲＬ）のデータ（以下、反射光データともいう）を算出する処理である。具体的には、制御部５１０が、算出した光ＲＧＢ平均データが示すＲ，Ｇ，Ｂの各々の値に、記憶部５２０に記憶されている図４の反射率データテーブルＣＤ１００に示される、対応する反射率を乗算することにより、反射光データを算出する。ここで、算出した光ＲＧＢ平均データが示すＲ，Ｇ，Ｂの値は、それぞれ、“２５０”、“１０”、“２０”であるとする。
【００９３】
この場合、制御部５１０は、Ｒ値“２５０”に、反射率データテーブルＣＤ１００に示される、赤光の表示面光反射率（表示面赤光反射率）４％を乗算し、“１０”を算出する。同様に、制御部５１０は、Ｇ値“１０”に、反射率データテーブルＣＤ１００に示される、緑光の表示面光反射率（表示面緑光反射率）４％を乗算し、“０．４”を算出する。同様に、制御部５１０は、Ｂ値“２０”に、反射率データテーブルＣＤ１００に示される、青光の表示面光反射率（表示面青光反射率）８％を乗算し、“１．６”を算出する。なお、算出した値が小数を示す場合、当該算出した値を、０．１の桁で四捨五入した値とする。したがって、四捨五入により、“０．４”、“１．６”は、それぞれ、“０”、“２”となる。この場合、反射光データが示すＲ，Ｇ，Ｂの値は、ＲＧＢ（１０、０、２）と表される。以上により、反射光データが算出される。そして、ステップＳ２１５に進む。
【００９４】
ステップＳ２１５では、画像の色を補正するための画像色補正処理が行なわれる。画像色補正処理では、制御部５１０が、ステップＳ２１１の画像データ取得処理により取得した表示用画像のデータに含まれる複数の画素データの各々が示すＲ，Ｇ，Ｂの値から、それぞれ、反射光データが示すＲ，Ｇ，Ｂの値を減算する。なお、減算後の値が、“０”未満になる場合は、当該減算後の値を、“０”とする。この演算により、表示用画像のデータに含まれる複数の画素データを、それぞれ、複数の色補正済画素データとする。色補正済画素データは、画素データが示すＲ，Ｇ，Ｂの値から、それぞれ、反射光データが示すＲ，Ｇ，Ｂの値を減算したＲ，Ｇ，Ｂの値を示すデータである。
【００９５】
たとえば、表示用画像のデータに含まれる１つの画素データが示すＲ，Ｇ，Ｂの値が、ＲＧＢ（２５５、２５５、２５５）であり、反射光データが示すＲ，Ｇ，Ｂの値が、ＲＧＢ（１０、０、２）である場合、色補正済画素データが示すＲ，Ｇ，Ｂの値は、ＲＧＢ（２４５、２５５、２５３）となる。そして、ステップＳ２１６に進む。
【００９６】
ステップＳ２１６では、色補正画像表示処理が行なわれる。色補正画像表示処理では、制御部５１０が、ＶＤＰ５３２を利用して、画像色補正処理により得られた複数の色補正済画素データに基づく画像を、表示部５３０の表示面に表示させる。そして、この色補正処理は終了する。
【００９７】
なお、表示部５３０の表示面に動画像を表示させる場合、色補正処理のステップＳ２１１〜Ｓ２１６の処理が繰り返して行なわれる。
【００９８】
以上説明したように、本実施の形態では、図５の表示面光データ取得処理により、所定時間（たとえば、５秒）毎に、表示部５３０の表示面に照射される光の特性と同等（または、同一）の特性の光を示す、表示面光データとしての光撮像画像データが、記憶部５２０に記憶される。
【００９９】
また、記憶部５２０に記憶されている、最新の表示面光データとしての光撮像画像データと、表示部５３０の表示面の光の反射特性（表示面青光反射率、表示面緑光反射率および表示面赤光反射率）とに基づいて、表示部５３０の表示面に照射された光の反射光のデータを算出する。
【０１００】
そして、反射光のデータに基づいて、表示部５３０の表示面に表示させるための表示用画像の色を補正する。具体的には、表示用画像のデータに含まれる複数の画素データの各々が示すＲ，Ｇ，Ｂの値から、それぞれ、反射光データが示すＲ，Ｇ，Ｂの値を減算する。
【０１０１】
たとえば、図３のように、ユーザが、表示部５３０の表示面に表示される画像を見ている状態において、光源ＳＬから、表示部５３０の表示面に照射される光ＩＬが、たとえば、赤成分が強い光であるとする。この場合、表示部５３０の表示面に表示される画像は、表示用画像の赤成分の値を、反射光ＲＬのデータである反射光データが示す赤成分の値だけ減算した画像となる。そのため、表示部５３０の表示面に表示される画像（表示用画像）の光である画像光ＧＬは、当該画像光ＧＬから反射光ＲＬの赤成分の光を削減した光となる。前述したように、ユーザの目Ｅ１０に、画像光ＧＬおよび反射光ＲＬが到達した状態で、ユーザは、表示部５３０の表示面に表示される画像を、識別することになる。したがって、ユーザは、光源からの光の状態に関わらず、表示部５３０の表示面に表示される画像の本来の色を正確に識別することができるという効果を奏する。
【０１０２】
また、画像の色の補正は、ユーザが、装置の操作等を行なうことなく行なわれる。すなわち、ユーザに手間をかけることなく、表示する画像の色を補正することができるという効果を奏する。
【０１０３】
また、所定時間（たとえば、５秒）毎に、表示面光データとしての光撮像画像データが、記憶部５２０に記憶される。そして、記憶部５２０に記憶されている、最新の表示面光データとしての光撮像画像データと、表示部５３０の表示面の光の反射特性（表示面青光反射率、表示面緑光反射率および表示面赤光反射率）とに基づいて、表示部５３０の表示面に照射された光の反射光のデータを算出される。そして、反射光のデータに基づいて、表示用画像の色が補正される。
【０１０４】
たとえば、図３のように、ユーザが、表示部５３０の表示面に表示される画像を見ている状態において、光源ＳＬから、表示部５３０の表示面に照射される光ＩＬが、たとえば、白色の光から、赤成分が強い光に変化したとする。この場合、表示部５３０の表示面に表示される画像は、表示用画像の赤成分の値を、反射光ＲＬのデータである反射光データが示す赤成分の値だけ減算した画像となる。そのため、表示部５３０の表示面に表示される画像（表示用画像）の光である画像光ＧＬは、当該画像光ＧＬから反射光ＲＬの赤成分の光を削減した光となる。したがって、ユーザは、光源からの光の変化に関わらず、表示部５３０の表示面に表示される画像の本来の色を正確に識別することができるという効果を奏する。
【０１０５】
＜第２の実施の形態＞
次に、第１の実施の形態とは異なる、色を補正するための処理について説明する。
【０１０６】
本実施の形態における画像表示装置５００の構成は、第１の実施の形態において、説明した構成と同様なので詳細な説明は繰り返さない。
【０１０７】
（色の補正）
次に、本実施の形態において、光源からの光の反射光を考慮して、色を補正するための処理（以下、色補正処理Ａともいう）について説明する。
【０１０８】
ここで、制御部５１０は、後述する色補正処理Ａとは、独立して、以下の表示面反射光データ算出処理を行なうとする。また、制御部５１０は、表示面反射光データ算出処理の開始と同時に経過時間測定処理Ａを行なう。経過時間測定処理Ａは、他の処理（たとえば、表示面反射光データ算出処理）とは独立して行なわれる処理である。経過時間測定処理Ａは、表示面反射光データ算出処理が開始されてからの経過時間を測定する。なお、画像表示装置５００の記憶部５２０には、表示面反射光データ算出処理および後述する色補正処理Ａが行なわれる前に、第１の実施の形態と同様に表示部５３０の表示面の光の反射率を測定しておき、予め、図４の反射率データテーブルＣＤ１００を記憶させておくとする。
【０１０９】
図７は、表示面反射光データ算出処理のフローチャートである。表示面反射光データ算出処理において、図５の表示面光データ取得処理のステップ番号と同じステップ番号の処理は、第１の実施の形態で説明した処理と同様な処理が行なわれるので詳細な説明は繰り返さない。以下においては、図５の処理と異なる処理を主に説明する。
【０１１０】
図７を参照して、表示面反射光データ算出処理では、まず、ステップＳ１１１Ａが行なわれる。
【０１１１】
ステップＳ１１１Ａでは、所定時間が経過したか否かが判定される。具体的には、制御部５１０が、経過時間測定処理Ａにより測定されている経過時間が所定時間になったか否かを判定する。ここで、所定時間は、一例として、５秒であるとする。ステップＳ１１１Ａにおいて、ＹＥＳならば、制御部５１０が、経過時間測定処理Ａにより測定されている経過時間を“０”にして、ステップＳ１１２に進む。一方、ステップＳ１１１Ａにおいて、ＮＯならば、再度、ステップＳ１１１Ａの処理が行なわれる。ここでは、経過時間測定処理Ａにより測定されている経過時間が所定時間になったとして、制御部５１０が、経過時間測定処理Ａにより測定されている経過時間を“０”にして、ステップＳ１１２に進む。この場合、経過時間測定処理Ａは、ステップＳ１１１ＡでＹＥＳと判定されてからの経過時間を測定することになる。
【０１１２】
ステップＳ１１２では、第１の実施の形態と同様に、光データ取得撮像処理が行なわれるので詳細な説明は繰り返さない。この処理により、表示面光データとしての光撮像画像データが取得され、当該光撮像画像データが、記憶部５２０に記憶される。そして、ステップＳ１１３Ａに進む。
【０１１３】
ステップＳ１１３Ａでは、図６のステップＳ２１３の光平均輝度算出処理と同様な処理が行なわれるので詳細な説明は繰り返さない。この処理により、図６のステップＳ２１３の光平均輝度算出処理と同様に光ＲＧＢ平均データが算出される。そして、ステップＳ１１４Ａに進む。
【０１１４】
ステップＳ１１４Ａでは、反射光データ算出処理Ａが行なわれる。反射光データ算出処理Ａは、図６のステップＳ２１４の反射光データ算出処理と比較して、さらに、反射光データを記憶させる処理が行なわれる点が異なる。それ以外は、反射光データ算出処理と同様なので詳細な説明は繰り返さない。
【０１１５】
具体的には、反射光データ算出処理Ａでは、第１の実施の形態で説明した図６のステップＳ２１４の反射光データ算出処理と同様に、反射光データが算出される。そして、制御部５１０は、算出した反射光データを、記憶部５２０に記憶させる。なお、既に記憶部５２０に反射光データが記憶されている場合、制御部５１０は、算出した最新の反射光データを、記憶部５２０に上書き記憶させる。そして、再度、ステップＳ１１１Ａの処理が行なわれる。
【０１１６】
以上の表示面反射光データ算出処理により、所定時間（たとえば、５秒）毎に、表示部５３０の表示面に照射される光の特性と同等（または、同一）の特性の光を示す、表示面光データとしての光撮像画像データに基づいて算出される反射光データが、記憶部５２０に記憶される。
【０１１７】
図８は、色補正処理Ａのフローチャートである。色補正処理Ａにおいて、図６の色補正処理のステップ番号と同じステップ番号の処理は、第１の実施の形態で説明した処理と同様な処理が行なわれるので詳細な説明は繰り返さない。以下においては、図６の処理と異なる処理を主に説明する。
【０１１８】
図８を参照して、色補正処理Ａでは、まず、ステップＳ２１１の処理が行なわれる。
ステップＳ２１１では、第１の実施の形態と同様に、画像データ取得処理が行なわれるので詳細な説明は繰り返さない。この処理により、表示用画像のデータが取得される。そして、ステップＳ２１２Ａに進む。
【０１１９】
ステップＳ２１２Ａでは、反射光データ取得処理が行なわれる。反射光データ取得処理では、制御部５１０が、図７の表示面反射光データ算出処理により、現時点で記憶部５２０に記憶されている、最新の反射光データを読み出す。そして、ステップＳ２１５に進む。
【０１２０】
ステップＳ２１５では、第１の実施の形態と同様に、画像色補正処理が行なわれるので詳細な説明は繰り返さない。この処理により、複数の色補正済画素データが得られる。
【０１２１】
ステップＳ２１６では、第１の実施の形態と同様に、色補正画像表示処理が行なわれるので詳細な説明は繰り返さない。この処理により、複数の色補正済画素データに基づく画像が、表示部５３０の表示面に表示される。
【０１２２】
なお、表示部５３０の表示面に動画像を表示させる場合、色補正処理ＡのステップＳ２１１，Ｓ２１２Ａ，Ｓ２１５，Ｓ２１６の処理が繰り返して行なわれる。
【０１２３】
以上説明したように、本実施の形態の色補正処理Ａは、第１の実施の形態で説明した図６の色補正処理と比較して、ステップＳ２１３，Ｓ２１４の処理を行なわない。図６のステップＳ２１３（光平均輝度算出処理）は、多くの演算処理が必要なステップである。なお、第１の実施の形態で説明した光平均輝度算出処理は、図７のステップＳ１１３Ａにおいて行なわれる。図７のステップＳ１１３Ａの光平均輝度算出処理は、所定時間（たとえば、５秒）毎に行なわれる。
【０１２４】
ここで、たとえば、１秒あたり３０フレームからなる動画像の色補正を、第１の実施の形態で説明した図６の色補正処理で行なう場合、３０分の１秒以内で、図６のステップＳ２１１〜Ｓ２１６の処理を行なう必要があり、１秒あたりの制御部５１０の演算処理量が非常に膨大なものとなる。
【０１２５】
しかしながら、本実施の形態の色補正処理Ａは、多くの演算処理が必要な光平均輝度算出処理を行なわない。そのため、動画像の色補正を色補正処理Ａで行なう場合、色補正処理Ａを行なう制御部５１０の単位時間（たとえば、１秒）あたりの演算処理量を大幅に削減することができるという効果を奏する。すなわち、単位時間（たとえば、１秒）あたりの制御部５１０の処理負担を大幅に削減することができるという効果を奏する。その結果、本実施の形態の色補正処理Ａは、第１の実施の形態の色補正処理よりも、動画像の色を補正するのに適した処理となる。
【０１２６】
なお、本実施の形態では、順番は異なるが、第１の実施の形態で行なわれる処理をほぼ全て行なうため、第１の実施の形態と同様な効果を奏する。すなわち、ユーザは、光源からの光の状態に関わらず、表示部５３０の表示面に表示される画像の本来の色を正確に識別することができるという効果を奏する。
【０１２７】
また、画像の色の補正は、ユーザが、装置の操作等を行なうことなく行なわれる。すなわち、ユーザに手間をかけることなく、表示する画像の色を補正することができるという効果を奏する。
【０１２８】
また、ユーザは、光源からの光の変化に関わらず、表示部５３０の表示面に表示される画像の本来の色を正確に識別することができるという効果を奏する。
【０１２９】
（発明の展開）
なお、第１および第２の実施の形態においては、撮像部（撮像部５７８）は、１つのみ設けられていたが、撮像部は、複数設けられていてもよい。
【０１３０】
また、第１および第２の実施の形態においては、波長が３８０〜７８０ナノメートルの光を、一例として、３種類の光に分類し、３種類の光にそれぞれ対応する反射率を測定したテーブル（たとえば、図４の反射率データテーブルＣＤ１００）を利用して、反射光のデータを算出していた。しかしながら、これに限定されることなく、表示部５３０の表示面に照射された、光源から出力される波長が３８０〜７８０ナノメートル間の１ナノメートル毎の光の反射率を測定したテーブルを用意しておき、光源からの光の波長と、用意したテーブルに示される光の波長とのマッチングに基づいて、当該波長の光の反射率を求めることにより、反射光のデータを算出してもよい。
【０１３１】
また、第１および第２の実施の形態においては、被写体へのピントが全く合わない状態で、光源からの光を撮像部５７８で撮像することにより、光源からの光のデータを取得していた。しかしながら、これに限定されることなく、たとえば、光センサ等を用いて、光のデータを取得してもよい。
【０１３２】
また、第１および第２の実施の形態においては、波長が３８０〜７８０ナノメートルの光を、一例として、３種類の光に分類していた。そして、３種類の光のうちの１つの光の反射率は、たとえば、波長３８０，３８１，３８２，・・・，５００ナノメートルの光にそれぞれ対応する、複数の反射率の平均値としていた。そして、３種類の光の各々に対応する反射率の平均値を示すテーブル（たとえば、図４の反射率データテーブルＣＤ１００）を利用して、反射光のデータを算出していた。
【０１３３】
しかしながら、これに限定されることなく、Ｒ，Ｇ，Ｂの各々において、値の範囲（０〜２５５）にそれぞれ、予め測定した反射率を対応づけたテーブルを用意しておき、撮像処理により取得した、表示面光データとしての光撮像画像データが示すＲ，Ｇ，Ｂの値と、用意したテーブルに示されるＲ，Ｇ，Ｂの値とのマッチングに基づいて、反射率を求め、反射光のデータを算出してもよい。
【０１３４】
なお、本発明は、画像を表示するための複数の画素を含む表示面において、当該複数の画素の各々に光センサが設けられた表示装置に適用してもよい。
【０１３５】
また、本発明は、Ｒ，Ｇ，Ｂ毎に独立したバックライトが設けられた表示装置に適用してもよい。この場合、表示用画像を補正するのではなく、Ｒ，Ｇ，Ｂの各々のバックライトの強さを制御してもよい。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３７】
【図１】本実施の形態における画像表示装置の外観を正面から示した図である。
【図２】画像表示装置の内部構成を示したブロック図である。
【図３】本発明の概念を説明するための図である。
【図４】一例としての反射率データテーブルを示す図である。
【図５】表示面光データ取得処理のフローチャートである。
【図６】色補正処理のフローチャートである。
【図７】表示面反射光データ算出処理のフローチャートである。
【図８】色補正処理Ａのフローチャートである。
【符号の説明】
【０１３８】
７０  ネットワーク、１８０  プログラム、５００  画像表示装置、５１０  制御部、５２０  記憶部、５３０  表示部、５４０  入力部、５５５  記録媒体、５７８  撮像部。
【図１】
2009053324.tif 000003
【図２】
2009053324.tif 000004
【図３】
2009053324.tif 000005
【図４】
2009053324.tif 000006
【図５】
2009053324.tif 000007
【図６】
2009053324.tif 000008
【図７】
2009053324.tif 000009
【図８】
2009053324.tif 000010